(57)【要約】  注射装置用の針カニューレは、中心軸に沿って延在し、皮膚穿孔遠位端（１３３ｂ）、薬剤容器（１０２）のシール構造（１０２ｂ）を貫通するよう構成された近位端（１３３ａ）、および皮膚穿孔遠位端（１３３ｂ）と近位端（１３３ａ）との間に延在する側壁を備え、近位端（１３３ａ）は近位に向いている角度づけられた表面（１３４）、先導部分（１３４．１）およびかかと部分（１３４．２）を画定する角度付けられた表面（１３４）によって画定され、角度付けられた表面（１３４）は、中心軸に対して５０〜７５度の間の角度（α１）を形成するかかと部分（１３４．２）に表面部分（１３４ａ、１３４ｂ）を含み、中心軸に対して６０〜８５度の間の角度（α２）を形成する先導部分（１３４．１）に表面部分（１３４ｃ）をさらに含む。注射装置用の注射針組立品およびこうした組立品を含む注射装置がさらに説明されている。【選択図】図８Ｃ
2020503133.tif 000002
【特許請求の範囲】
【請求項１】
注射装置用の細長い管状針カニューレであって、前記針カニューレ（１３０）が中心軸に沿って延在し、
−  皮膚穿孔遠位端（１３３ｂ）と、
−  前記皮膚穿孔遠位端（１３３ｂ）の軸方向に反対側に配置された近位端（１３３ａ）であって、前記近位端（１３３ａ）が、薬剤容器（１０２）のシール構造（１０２ｂ）を貫通するように構成される近位端と、
−  前記皮膚穿孔遠位端（１３３ｂ）と前記近位端（１３３ａ）との間に延在する側壁と、
−  前記中心軸に沿って前記針カニューレ（１３０）を貫通する内腔であって、前記内腔が前記皮膚穿孔遠位端（１３３ｂ）で軸方向に配置された第一の開口部および前記近位端（１３３ａ）で軸方向に配置された第二の開口部を有し、前記近位端（１３３ａ）が近位に向いている角度付けられた表面（１３４）によって画定され、前記角度付けられた表面（１３４）が先導部分（１３４．１）を画定する最近位点で前記側壁と交差し、かかと部分（１３４．２）を画定する対向して配置された後続部分で前記側壁と交差する、内腔と、を備え、
近位に向いている前記角度付けられた表面（１３４）が、前記中心軸に対して５０〜７５度の間の角度（α１）を形成する前記かかと部分（１３４．２）における表面部分（１３４ａ、１３４ｂ）を含み、前記中心軸に対して６０〜８５度の間の角度（α２）を形成する前記先導部分（１３４．１）における表面部分（１３４ｃ）をさらに含む、細長い管状針カニューレ。
【請求項２】
前記かかと部分（１３４．２）における前記表面部分（１３４ａ、１３４ｂ）が、前記角度付けられた表面（１３４）の少なくとも２０％を画定し、前記先導部分（１３４．１）における前記表面部分（１３４ｃ）が前記角度付けられた表面（１３４）の少なくとも３０％を画定する、請求項１に記載の細長い管状針カニューレ。
【請求項３】
前記角度付けられた表面（１３４）が、前記側壁と交差して、半径方向内向きの周縁および半径方向外向きの周縁を画定し、前記半径方向内向きの周縁および／または前記半径方向外向きの周縁が、前記かかと部分（１３４．２）の周りに対称的に配置された環状セクションに沿って鈍くされ、前記環状セクションが、好ましくは１４０〜１９０度以内である、１００〜２２０度以内の環状幅を有する、請求項１から２のいずれかに記載の細長い管状針カニューレ。
【請求項４】
前記先導部分（１３４．１）に配置された縁が鋭くなっている、請求項１から３のいずれかに記載の細長い管状針カニューレ。
【請求項５】
前記先導部分（１３４．１）における前記表面部分（１３４ｃ）が、前記中央軸に対して前記かかと部分（１３４．２）における表面部分（１３４ａ、１３４ｂ）の角度（α１）よりも５〜１０度大きい、前記中心軸に対する角度（α２）を形成する、請求項１〜４のいずれかに記載の細長い管状針カニューレ。
【請求項６】
前記かかと部分（１３４．２）における前記表面部分（１３４ａ、１３４ｂ）が前記中心軸に対して５５〜７０度の間の角度（α１）を形成する、請求項１〜５のいずれかに記載の細長い管状針カニューレ。
【請求項７】
前記針カニューレ（１３０）が皮下注射用に構成され、前記針カニューレ（１３０）が２６Ｇ針以下であり、２７Ｇ針が好ましく、２８Ｇ針がより好ましく、２９Ｇ針がより好ましく、３０Ｇ針が最も好ましい、請求項１〜６のいずれかに記載の細長い管状針カニューレ。
【請求項８】
前記針カニューレ（１３０）の前記側壁が、前記第一の開口部と前記第二の開口部以外の開口部を含まない細長い管状エンクロージャを形成する、請求項１〜７のいずれかに記載の細長い管状針カニューレ。
【請求項９】
注射装置用の注射針組立品であって、前記注射針組立品（１５０）が、
−  針ハブ（１４０）と、
−  請求項１〜８のいずれかに記載の細長い管状針カニューレ（１３０）と、
−  第一の針カバー（１１０ａ）と、を備え、
前記針ハブ（１４０）が、前記針カニューレの遠位部分が前記針ハブ（１４０）から遠位に延在し、前記針カニューレの近位部分が前記針カニューレ（１３０）の前記近位端（１３３ａ）に向かって前記針ハブから近位に延在するように、前記皮膚穿孔遠位端（１３３ｂ）と前記近位端（１３３ａ）との間に前記針カニューレ（１３０）を保持し、
前記第一の針カバー（１１０ａ）が前記針ハブ（１４０）上に取り付けられ、前記針カニューレ（１３０）の前記近位部分を封止する軸方向に延在する細長い可撓性のエンクロージャを形成し、前記第一の針カバー（１１０ａ）が前記針ハブ（１４０）に対して取り付けられた針ハブ端および前記針カニューレ（１３０）の前記近位端（１３３ａ）を越えて延在する自由端を有し、遠位に向けられた貫通力が前記第一の針カバー（１１０ａ）の前記自由端に加えられて、前記第一の針カバーの前記自由端を前記針ハブ（１４０）に向かって付勢するとき、前記第一の針カバー（１１０ａ）が軸方向に陥没し前記針カニューレ（１３０）の前記近位部分によって貫通されるよう構成される、注射針組立品（１５０）。
【請求項１０】
前記第一の針カバー（１１０ａ）がシリコーンゴムから作製される、請求項９に記載の注射針組立品（１５０）。
【請求項１１】
前記注射針組立品（１５０）が、第二の針カバー（１１０ｂ）をさらに備え、前記第二の針カバー（１１０ｂ）が前記針ハブ（１４０）上に取り付けられ、前記針カニューレ（１３０）の前記遠位端密封する軸方向に延在する細長い可撓性のエンクロージャを形成し、前記第二の針カバー（１１０ｂ）が前記針ハブ（１４０）に対して取り付けられた針ハブ端および前記針カニューレ（１３０）の前記遠位端（１３３ｂ）を越えて延在する自由端を有し、近位に向けられた貫通力が前記第二の針カバー（１１０ｂ）の前記自由端に加えられて、前記第二の針カバー（１１０ｂ）の前記自由端を前記針ハブ（１４０）に向かって付勢するとき、前記第二の針カバー（１１０ｂ）が軸方向に陥没し、前記針カニューレ（１３０）の前記遠位部分により貫通されるように構成される、請求項９〜１０のいずれかに記載の注射針組立品（１５０）。
【請求項１２】
注射装置（１００）であって、
− 遠位薬物排出端および反対側近位端を画定するハウジング（１０６）と、
請求項９〜１１のいずれかに記載の注射針組立品（１５０）であって、前記注射針組立品が、前記ハウジング（１０６）の前記近位端の方を向く前記針カニューレ（１３０）の前記近位端（１３３ａ）を有する前記ハウジング（１０６）に対して配置された、注射針組立品と、
− 薬剤を含むカートリッジ（１０２）であって、前記カートリッジが、前記針カニューレ（１３０）の前記中心軸と同軸上に配置された長軸方向軸に沿って延在する円筒形本体を含み、前記カートリッジが、前記カートリッジ（１０２）からの薬剤の排出を可能にする前記針カニューレ（１３０）の前記近位部分によって貫通されるよう適合されたシール構造（１０２ｂ）をさらに備え、前記カートリッジ（１０２）が、前記第一の針カバー（１１０ａ）およびシール構造（１０２ｂ）が前記針カニューレ（１３０）によって貫通されない第一の状態から、前記針カニューレ（１３０）の前記近位部分が前記第一の針カバー（１１０ａ）および前記シール構造（１０２ｂ）を貫通している第二の状態に、前記カートリッジ（１０２）を移動するために前記注射針組立品（１５０）に対して軸方向に移動可能に配置されている、カートリッジと、
− 前記カートリッジに作用するように圧縮されたばねを含む排出組立品と、を備え、
前記排出組立品（７）が、前記圧縮されたばねがカートリッジ（１０２）を前記第一の状態から前記第二の状態へと移動できるように作動可能である、注射装置（１００）。
【請求項１３】
前記排出組立品（７）の作動時に、前記針カニューレ（１３０）の前記近位部分が、前記針カニューレ（１３０）と前記シール構造（１０２ｂ）との間の相対的な回転を伴わない相対軸移動によって、前記薬剤容器（１０２）の前記シール構造（１０２ｂ）を貫通する、請求項１２に記載の注射装置（１００）。
【請求項１４】
前記注射針組立品（１５０）が、請求項１１に記載の第二の針カバー（１１０ｂ）を備え、前記注射装置が前記第二の針カバー（１１０ｂ）を遮蔽するように配置された針シールド（１０５）を備え、前記針シールド（１０５）および前記注射針組立品（１５０）が、前記針カニューレ（１３０）の前記遠位部分が前記第二の針カバー（１１０ｂ）を貫通し、前記針カニューレ（１３０）の前記遠位部分が前記針シールド（１０５）の遠位端部分を越えて延伸できるよう互いに対して軸方向に移動するように配置される、請求項１２〜１３のいずれかに記載の注射装置（１００）。
【請求項１５】
前記カートリッジ（１０２）の前記シール構造（１０２ｂ）が、非スリットのカートリッジ隔壁として提供される、またはそれを含む、請求項１２〜１４のいずれかに記載の注射装置（１００）。
【発明の詳細な説明】
【技術分野】
【０００１】
本発明は、針カニューレ、注射針組立品およびこうした注射針組立品を含む薬剤を注入するための注射装置に関する。
【背景技術】
【０００２】
医療機器の開発内では、安全な装置を開発することが主な焦点である。また、医療機器は可能な限り単純でユーザーフレンドリであることも特に懸念される。自動インジェクタなどの医療用注射器では、針の取り扱いがないまたはそれにほとんど関与しないことを目指している。使用する前に、針を滅菌しておく必要がある。
【０００３】
一部の注射装置では、針は、針自体の周りに滅菌バリアを維持する針カバー、例えば弾性穿孔可能針カバーによって保護される。こうした針カバーは、針組立品を形成するために針と一緒に組み立てられることがよくある。ＷＯ２０１５／１９７８６６Ａ１号およびＷＯ２０１６／１１６６１４Ａ１号は、一対の可撓性の穿孔可能な針を組み込む医薬インジェクタを開示しており、これは使用前に前針および後部針を滅菌状態で維持する。滅菌バリアとして可撓性の穿孔可能な針カバーを使用することによって、針は、滅菌バリアを貫通することができ、それによって実際の注入手順を開始する前に針カバーを取り外す必要性をなくすことができる。これにより、針の取扱いを大幅に容易にする。
【０００４】
隔壁を装備したカートリッジおよび初期使用時に隔壁を貫通して流体連通を確立する別個の針を使用するとき、隔壁のコアリングが起こるリスクがある。米国特許第２，７１６，９８３号は、針チップがコアリングを防止する設計を備える様々な穿孔用針を開示している。さらに、米国特許第５，７１６，３４８号は、円筒形壁が後方の開口部から間隔を置いた横方向に面する開口部を持つ針を開示し、制限は後方開口部と横方向に面する開口部の間に配置される。米国特許第５，７０９，６６８号は、カニューレの内部針先端によって貫通された時、ゴムシールまたは隔壁のコアリングを最小化または除去するための側面ポート形状を持つノンコアリングニードルを使用する自動インジェクタを開示している。
【０００５】
上述の従来技術の装置に関して、針カニューレの設計がリスクを最小化する改善された針カニューレを提供し、こうした針カニューレを含む注射針組立品およびこうした注射針組立品を備える注射装置を提供することが本発明の目的である。
【発明の概要】
【０００６】
第一の態様では、本発明は、注射装置用の針カニューレに関連し、細長い管状針カニューレは中心軸に沿って延在し、
−  皮膚穿孔遠位端と、
−  薬剤容器のシール構造を貫通するように構成されている、皮膚穿孔遠位端の軸方向に対向して配置された近位端と、
−  皮膚穿孔遠位端と近位端との間に延在する側壁と、
−  角度付けられた表面が先導部分を画定する最近位点で側壁と交差しかかと部分を画定する対向して配置された後続部分で側壁と交差し、皮膚穿孔遠位端で軸方向に配置された第一の開口部および概して近位に向いている角度付けられた表面により確定される近位端に軸方向に配置された第二の開口部を有する、中心軸に沿って針カニューレを貫通する内腔と、を含む。
【０００７】
概して近位に向いている角度付けられた表面は、かかと部分に第一の表面部分を含み、第一の表面部分は、中心軸に対して５０〜７５度の間の角度（α１）を形成する表面積を含む。概して近位に向いている角度付けられた表面は、先導部分に第二の表面部分を含み、第二の表面部分は、中心軸に対して６０〜８５度の間の角度（α２）を形成する表面積を含む。
【０００８】
第一の態様によれば、針カニューレは、針カニューレの先導部分でわずかに角度付けられた傾斜面が、針カニューレの先導部分が針カニューレに形のはっきりした接触点を設けて、協働密封要素との接続を確立できるような方法で、協働密封要素の貫通を可能にする。同時に、かかと部分における第一の表面部分は、かかと部分に対してかなり遠く延在する、針カニューレの先導部分で角度付けられた傾斜面よりも小さい角度（α１）を形成する表面積を含む。これにより、かかと部分が密封要素に無理に侵入する前に、前記リード部分が封止要素を穿刺または破壊することを可能にする。したがって、特定の安全な貫通により、貫通中の密封要素の剥がしのリスクをなくすまたはほんのわずかにすることが可能である。
【０００９】
実施形態によっては、中央軸に対して５０〜７５度の間で角度（α１）を形成する第一の表面部分の表面積は、その角度付けられた表面の総面積の少なくとも２０％を構成する。また、実施形態によっては、中央軸に対して６０〜８５度の間で角度（α２）を形成する第二の表面部分の表面積は、その角度付けられた表面の総面積の少なくとも３０％を構成する。
【００１０】
さらなる実施形態において、その角度付けられた表面は、側壁と交差し、半径方向内向きの周縁および半径方向外向きの周縁を画定する。半径方向内向きの周縁および／または半径方向外向きの周縁は、実施形態によっては、かかと部分の周りに対称的に配置された環状セクションに沿って鈍い非インサイジング縁部で形成されてもよい。実施形態によっては、こうした鈍い縁を有する環状セクションは、１００〜２２０度以内、すなわち、かかと部分からいずれかの円周方向に５０〜１１０度以内の環状幅を持ちうる。実施形態によっては、環状セクションは、１４０〜１９０度以内の環状幅を有してもよい。
【００１１】
先導部分に配置された縁部は、これらの縁が鋭くなるように形成されうる。
【００１２】
例示的実施形態では、先導部分における表面部分は、かかと部分の表面部分の角度（α１）より５〜１０度大きい、中心軸に対して角度（α２）を形成する。
【００１３】
さらなる例示的な実施形態では、かかと部分における表面部分は中心軸に対して５５〜７０度の間の角度（α１）を形成する。
【００１４】
針カニューレは、一部の実施形態では、皮下注射用に構成されてもよく、針カニューレのサイズは２６Ｇ針以下であり、２７Ｇ針が好ましく、２８Ｇ針がより好ましく、２９Ｇ針がより好ましく、３０Ｇ針が最も好ましい。
【００１５】
さらなる実施形態では、針カニューレの側壁は、第一の開口部および第二の開口部以外の開口部を含まない細長い管状エンクロージャを形成する。
【００１６】
第二の態様では、本発明は、注射装置用の針カニューレに関連し、細長い管状針カニューレは中心軸に沿って延在し、
−  皮膚穿孔遠位端と、
−  薬剤容器のシール構造を貫通するように構成されている、皮膚穿孔遠位端の反対側に配置された近位端と、
−  皮膚穿孔遠位端と近位端との間に延在する側壁と、
−  皮膚穿孔遠位端で軸方向に配置された第一の開口部および近位端で軸方向に配置された第二の開口部を有する、中心軸に沿って針カニューレを貫通する内腔と、を備え、
近位端は、近位に向いている角度付けられた表面によって画定され、角度付けられた表面の表面部分の少なくとも６０％が、中央軸に対して７０度〜８５度で角度（α）を形成する。
【００１７】
第二の態様によれば、針カニューレは、針カニューレのわずかに角度付けられた傾斜面が、針カニューレの先導部分が針カニューレに形のはっきりした接触点を設けて、協働密封要素との接続を確立できるようにする。したがって、特定の安全な貫通により、貫通中の密封要素の剥がしのリスクをなくすまたはほんのわずかにすることが可能である。
【００１８】
実施形態によっては、角度付けられた表面の表面部分の少なくとも６０％は、中央軸に対して７６度〜８４度の間の角度（α）を形成する。
【００１９】
さらなる実施形態では、角度付けられた表面は、先導部分を画定する最近位点で側壁と交差しかかと部分を画定する対向して配置された後続部分で側壁と交差し、かかと部分の角度付けられた表面は、中心軸に対して７６度〜８４度の間が好ましい、中心軸に対して７０度〜８５度の間の角度（α）を形成する。
【００２０】
特定の実施形態では、かかと部分は、鈍い縁で形成される。さらなる実施形態では、針カニューレの近位端における全ての周縁は、鈍い縁で形成される。
【００２１】
さらなる例示的な実施形態では、針カニューレの近位端の全体的な角度付けられた表面は、中心軸に対して７６度〜８４度の間が好ましい、７０度〜８５度の間で中心軸に対して角度（α）を形成する。
【００２２】
実施形態によっては、角度付けられた表面は、単一の平面状の角度を付けられた切断先端として提供されてもよい。
【００２３】
針カニューレは、一部の実施形態では、皮下注射用に構成されてもよく、針カニューレのサイズは２６Ｇ針以下であり、２７Ｇ針が好ましく、２８Ｇ針がより好ましく、２９Ｇ針がより好ましく、３０Ｇ針が最も好ましい。
【００２４】
さらなる実施形態では、針カニューレの側壁は、第一の開口部および第二の開口部以外の開口部を含まない細長い管状エンクロージャを形成する。
【００２５】
第三の態様では、本発明は、第一の態様および第二の態様のいずれか一つによる針カニューレを組み込む注射針組立品に関連する。
【００２６】
注射針組立品は、
−  針ハブと、
−  第一または第二の態様のいずれかによる細長い管状針カニューレと、
−  第一の針カバーと、を備えるよう形成されてもよく、
針ハブは、針カニューレの遠位部分が針ハブから遠位に延在するように、針カニューレの近位部分が針ハブから針カニューレの近位端に向かって延在するように、皮膚穿孔遠位端と近位端との間に針カニューレを保持し、
第一の針カバーは、針ハブ上に取り付けられ、針カニューレの近位部分を密封する軸方向に延在する細長い可撓性エンクロージャを形成し、針ハブに対して取り付けられる針ハブ端および針カニューレの近位端を越えて延在する自由端を有し、遠位に向けられた貫通力が第一の針カバーの自由端に加えられて、第一の針カバーの自由端を針ハブに向かって付勢するとき、軸方向に陥没し、針カニューレの近位部分により貫通されるように構成される。
【００２７】
さらなる実施形態では、注射針組立品は第二の針カバーをさらに備えてもよく、第二の針カバーは針ハブ上に取り付けられ、針カニューレの遠位部分を密封する軸方向に延在する細長い可撓性のエンクロージャを形成し、針ハブに対して取り付けられた針ハブ端および針カニューレの遠位端を越えて延在する自由端を有し、近位に向けられた貫通力が第二の針カバーの自由端に加えられて、第二の針カバーの自由端を針ハブに向かって付勢するとき、軸方向に陥没し、針カニューレの遠位部分により貫通されるように構成される。
【００２８】
特定の実施形態では、第一の針カバーおよび／または第二の針カバーは、シリコーンゴムから作製されうる。
【００２９】
第四の態様では、本発明は、第三の態様による針組立品を組み込む注射装置に関連する。
【００３０】
注射装置は、
−  遠位薬物排出端および反対側近位端を画定するハウジングと、
−  ハウジングの近位端の方を向く針カニューレの近位端を備えるハウジングに対して配置された、第三の態様による注射針組立品と、
−  第一の針カバーおよびシール構造が針カニューレによって貫通されない第一の状態から針カニューレの近位部分が第一の針カバーおよびシール構造を貫通している第二の状態にカートリッジを移動するために、注射針組立品に対して軸方向に移動可能に配置されている、針カニューレの中心軸と同軸上に配置された長手方向軸に沿って延在する円筒形本体を含み、カートリッジからの薬剤の排出を可能にする針カニューレの近位部分によって貫通されるよう適合されたシール構造をさらに含む、薬剤を含むカートリッジと、
−  カートリッジに作用するように構成された圧縮されたばねを含む排出組立品と、を備えるよう形成されてもよく、
排出組立品は、圧縮されたばねがカートリッジを第一の状態から第二の状態へと移動できるように作動可能である。
【００３１】
注射装置は、排出組立品の作動時、針カニューレの近位端が、針カニューレとシール構造との間の相対的な回転を伴わない相対軸移動によって薬剤容器のシール構造を貫通するように構成されうる。
【００３２】
実施形態によっては、薬剤容器のシール構造および第一の針カバーは、針カニューレの近位端による貫通中に相互に隣接する。
【００３３】
さらなる実施形態では、注射針組立品は、第三の態様に関連して説明したような第二の針カバーを含む。こうした注射装置は、第二の針カバーを遮蔽するように配置された針シールドを備えるように形成されてもよく、針シールドおよび注射針組立品は、針カニューレの遠位部分が第二の針カバーを貫通し、針カニューレの遠位部分が針シールドの遠位端部分を越えて延伸できるよう互いに対して軸方向に移動するように配置されている。
【００３４】
さらなる実施形態では、シール構造は、長軸方向軸に実質的に直交する平面内に配置されたカートリッジ隔壁を含む。
【００３５】
さらに実施形態によっては、カートリッジのシール構造は、非スリットのカートリッジ隔壁として提供されるか、またはそれを含む。
【００３６】
特定の実施形態では、注射装置は、針シールドと注射針組立品との間の相対運動によって起動または誘発される自動インジェクタとして形成される。自動インジェクタは、前方の針に針の前部を覆う第二の針カバーを貫通させ、続いて前方の針を注射部位に挿入するように、針の前部が、針シールドを注射部位に押し付けて、針シールドに対して針を前方に移動する手動力を加えて、針の注射部位に手動で挿入されるように構成されうる。
【００３７】
従って、針シールドは、第二の針カバーを針カニューレの遠位部分によって貫通させるために、第二の針カバーに作用するように構成されうる。特定の実施形態では、針シールドは、針カバーに対して軸方向に動かされるときに、第二の針カバーと係合し、それによって針カニューレに対して第二の針カバーの自由端を動かし、針カバーが針カニューレの遠位部分によって貫通される。
【００３８】
特定の実施形態では、自動インジェクタは、針カニューレの遠位部分が所定の貫通深さに達するとトリガされるように構成される。こうしたトリガは、ユーザーが自動インジェクタを注射部位に手動で押すことによって促進される。
【００３９】
本明細書で使用される場合、「含む／含んでいる／から成る」という用語は、記載された特徴、整数、工程または構成要素の存在を指定するために取られるが、一つ以上の他の特徴、整数、工程、構成要素またはその群の存在または付加を除外しないことを強調すべきである。
【００４０】
本明細書で使用される場合、「医薬」という用語は、制御された様式で中空の針またはカニューレなどの送達手段を通過することができる任意の流動性の薬剤を包含することを意味する。流動性薬物の例は、液体、溶液、ゲル、または微細懸濁液である。また、投与前に凍結乾燥された薬物は、上記の定義によって包含される液体形態に溶解される。代表的薬剤には、例えば、医薬品、ペプチド、タンパク質（例えば、インスリン、インスリン類似体及びＣ−ペプチド）、ホルモン、生物由来剤、又は活性薬剤、ホルモン系及び遺伝子系剤、栄養式および固体（分配）又は液体形態の両方の他の物質が含まれる。
【図面の簡単な説明】
【００４１】
以下では、本発明を、封入された図面によって示される実施形態を参照しながらより詳細に説明する。図示された実施形態は、例示目的のみに使用され、本発明の範囲を制限するために使用されるべきでないことを強調する必要がある。
【図１】図１は、初期遮蔽状態である、本発明による針組立品の組み込みに適した注射装置の一例の断面側面図を示す。
【図２】図２は、針の遠位端が針シールドから完全に突出する状態の図１の注射装置の断面図を示す。
【図３】図３は、カートリッジが流体送達のために針の近位端に接続されており、かつ排出が開始された状態の図１の注射装置の断面側面図を示す。
【図４】図４は、針シールドがその元の位置に戻って針を再び遮蔽状態に戻した状態における、図１の注射装置の断面側面図を示す。
【図５】図５は、本発明による針組立品を組み込んだ注射装置の第一の実施形態の前方部分の断面側面図を示す。
【図６】図６は、本発明によるこうした針カニューレの近位部分の拡大側面図を示す。
【図７】図７は、注射針組立品の近位針カバーが見える本発明による針カニューレの近位部分の断面側面図を示す。
【図８Ａ】図８ａ、８ｂおよび８ｃは、本発明によるさらなる例示的な針カニューレを提供するための製造工程を概略的に示す。
【図８Ｂ】同上。
【図８Ｃ】同上。
【図９】図９は、図８ａ〜８ｃに示す製造工程によって提供される針カニューレの近位端のさらなる詳細を示す。
【発明を実施するための形態】
【００４２】
図１〜４は、本発明に関連して使用するのに適した例示的な注射装置の動作状態を図示する。注射装置は、装置の基本的機能を説明するために、四つの異なる動作状態で示されている。図示の装置は、本文書の図１ｃ、２ｃ、３ｃ、および５ｃに関連してＷＯ２０１５／１９７８６６Ａ１号に開示された装置と全体的に類似している。開示された装置の詳細な説明のため、ＷＯ文書を参照する。
【００４３】
図示の注射装置は、適切であるが非限定的な例を形成し、本発明の針カニューレおよび注射針組立品は、その他のタイプの注射装置と共に使用できることに留意されたい。図示された注射装置のすべての詳細は、これらの詳細がすでに上記のＷＯ文書に記載されているため、本明細書に詳細に記載されていない。
【００４４】
図１〜４は、カートリッジ２を含む薬剤、近位端３ａおよび遠位端３ｂを有する針カニューレ３として提供される注射針、針ハブ４、針シールド５、ハウジング６および排出組立品７を備える注射装置１を示す。排出組立品の詳細は、本発明の針組立品が多くの異なるタイプの排出組立品と協働するため、本明細書の一般的な用語でのみ説明される。
【００４５】
図示の実施形態では、図１に示す遮蔽状態において、針シールド５の遠位端は、針カニューレの遠位端３ｂに遠位に配置される。このように、針は針シールドによって完全に遮蔽される。また、現在の実施形態では、針シールド５は、針組立品を完全に包み込む単一の要素であることがわかる。
【００４６】
図１から分かるように、針３は、針カニューレの近位端に配置された一つおよび遠位端に配置された一つの、二つの尖端を有する針カニューレとして配置される。針ハブ４は、針カニューレ３の中央部分を握り、それにより、針の遠位端と近位端両方がハブ４に対して軸方向に突出し、すなわち、それぞれ前方の針および後方の針を形成する。図示の実施形態では、ハブ４はハウジング６に対して固定して取り付けられる。使用中、針３ａの近位端は、遠位端３ｂがユーザーの皮膚を穿孔して薬剤をユーザーの身体に注入するように配置される間に、注入される薬剤を含有する容器２と係合するよう配置される。
【００４７】
図示の実施形態では、容器２は、カートリッジ内部との流体連通を確立するために針カニューレによって穿孔されるよう適合されたカートリッジ隔壁２ｂの形態のシール構造によって覆われた遠位に配置された出口を持つ本体２ａを備えるカートリッジを形成する。カートリッジの本体は、摺動可能に配置されたピストン２ｃを収容する。針がカートリッジ隔壁２ｂを穿孔する状態では、ピストン２ｃはカートリッジ２から薬剤を分注するために出口に向かって駆動可能である。
【００４８】
また、図１から分かるように、針の近位端３ａは、可撓性の穿孔可能な針カバーを形成する近位針カバー１０ａによって覆われており、針３ｂの遠位端はまた可撓性の穿孔可能な針カバーを形成する遠位針カバー１０ｂによって覆われる。針カバー１０ａおよび１０ｂはまた、それぞれ後方カバーおよび前方カバーと呼ばれる。同様に、ハブから近位方向に延在する針カニューレの部分は、後方針と呼ばれる一方、ハブから遠位方向に延在する針カニューレの部分は前方針と呼ばれる。図１〜４において、針カバー１０ａおよび１０ｂの形状は、概略的に図示されているだけであることに留意されたい。後方針カバー１０ａおよび前方針カバー１０ｂは、針が滅菌されるように配置され、その後、針自体が針組立品のさらなる取り扱いによって汚染されないように配置される。
【００４９】
図２では、針シールド５は、針の遠位端３ｂが針シールドの遠位端５ｂを越えて遠位に延在するように、針ハブ４に対して引き込まれている。このようにして、針３ｂの遠位端が露出し、ユーザーと流体連通する準備が整う。図２で見ることもできるように、針シールドを引き込む行為によって、遠位針カバー１０ｂが引き戻される。これにより、針の遠位端が針カバーを通して穿孔し、それによって針の遠位端が覆われなくなる。針カバーの可撓性の性質により、針カバーは容易に引き込まれる。
【００５０】
図示の実施形態では、針ハブに対して針シールドを引き込む行為は、装置を誘発し、それにより、排出組立品７を起動する。排出組立品は、主に圧縮ばねによって提供される力によって遠位に付勢されるプランジャーから成る。圧縮ばねをトリガする前に、プランジャーが保持機構によって軸方向に保持される予め引張状態にある。トリガすると、プランジャーは軸方向に開放され、圧縮バネから放出されるエネルギーによって前方に押される。次に、プランジャーは、カートリッジ２のピストン２ｃ上に遠位に向けられた力をかける。図示の装置では、排出組立品７のプランジャーは、ハウジング６に対して最初にカートリッジ２を移動させ、その後、カートリッジ２内の薬剤の用量が針組立品５０を通って排出されるように、カートリッジ２内のピストン２ｃを移動させる。図３では、排出組立品７が、針の近位端と係合するために、遠位方向前方にカートリッジ２を含む薬剤を押していることがわかる。針の近位端は、カートリッジの隔壁２ｂを穿刺することによって、カートリッジから針を通り針の遠位端までの流体経路を確立し、それによって薬剤が選択された注射部位でユーザーに注入されうる。図３でも分かるように、近位針カバー１０ａはまた、カートリッジの針への移動によって圧縮されている。これによって、針の近位端をむき出しにし、それがカートリッジと係合することを可能にする。
【００５１】
図４では、排出組立品は、カートリッジ内に配置されたピストン２ｃを遠位に押し、それによってカートリッジ内の薬剤を針を通して注射部位に注入する。薬剤が注入された後、針ハブに対して針シールドが再び押されて、針の遠位端を遮蔽する。図示の実施形態では、これは、ユーザーが注射部位に対して注射装置のハウジング６を手動で引き込む結果として発生する。図示の実施形態では、針シールド５は、針シールドばねによって遠位方向に付勢される。
【００５２】
図１〜４に関する上記の説明は、例示的な注射装置の使用の背景情報を提供するために提供されてきた。説明された注射装置は、多くの異なる市販の注射装置のうちの一つである。針カニューレおよび本発明の注射針組立品は、隔壁を装備したカートリッジが図１〜４に関して上述したものだけではなく、個別の針組立品と協働する、異なるタイプの注射装置と併用できることに留意されたい。
【００５３】
図５は、図１〜４に示す注射装置と類似した注射装置の遠位部分の断面詳細図を示すが、本発明の態様による針組立品１５０の実施形態を組み込む。近位針カバー１１０ａは、ＷＯ２０１６／１１６６１４Ａ１の図１１ａ〜１１ｄに示す針カバー１０と類似して形成される。
【００５４】
検査は、従来の二重尖端針に対して、装置のトリガ中に特定の条件により、針カニューレ１３０の近位端が、近位針カバー１０ａおよびカートリッジ隔壁２ｂを貫通するとき、針カバー１０ａおよび／またはカートリッジ隔壁２ｂの材料の切り抜きコアを生成するリスクがあると、示している。リスクは、貫通中に接続速度が速い場合に最も顕著であるが、例えば、冷蔵庫温度などの薬剤の長期保存中に使用された温度に対応する低い周囲温度で貫通が起こるときにも、リスクは最も顕著であることが示されている。
【００５５】
針カニューレの中心軸と２８度の角度を形成する平面の角カットとして提供される傾斜した表面を備える近位部分を持つ例示的な３０Ｇ針カニューレの異なるサンプルで、詳細な検査が実施されてきた。個別の貫通検査は、近位針カバー１０ａとのみ協働する、すなわちカートリッジ隔壁と協働することなくこうした例示的な３０Ｇ針と実施され、しかし、またカートリッジ隔壁とのみ協働する、すなわち、近位針カバー１０ａと協働することなく、こうした例示的な３０Ｇ針と実施されている。すべての試験は、摂氏５度の周囲温度かつ、図１〜４に示されるように、自動インジェクタをトリガすることによって得られる速度に対応する貫通速度で実施されている。両方の状況では、例示的な３０Ｇ針は、それぞれ針カバーおよびカートリッジ隔壁の破壊の痕跡なしに許容できる状態で実施されている。しかし、図１〜４に示す構成に対応する実際の設定では、例示的な３０Ｇ針を含む針組立品は、針カバー１０ａおよびカートリッジ隔壁２ｂの両方を持つ自動インジェクタに組み込まれ、破壊要素の痕跡が観察されている。そのような設定におけるコアリングの影響は、針カニューレの貫通の間の、針カバー１０ａと隔壁２ｂとの間の相互作用する力と関連付けられる可能性が高い。
【００５６】
針カニューレの中心軸と９０度の角度を形成する平面の角カットとして提供される端面を備える近位部分を持つ例示的な針カニューレを用いてさらなる詳細な検査が実施され、そこでは、針カニューレの近位端のすべての縁は、その後、研磨によって滑らかにされている。こうしたブラント針カニューレは、針カニューレのみがカートリッジ隔壁と協働する設定において許容できる状態で実施される。ところが、図１〜４に示す構成に対応する実際の設定では、９０度切断の例示的なブラント針を含む針アセンブリは、針カバー１０ａおよびカートリッジ隔壁２ｂの両方を持つ自動インジェクタに組み込まれ、破壊要素の痕跡が観察されている。
【００５７】
本発明によれば、複数の異なる針ゲージ２７Ｇおよび３０Ｇの針カニューレが調製されており、針カニューレはそれぞれ、針カニューレの中心軸に対して近位端を角度（α）で切断することによって形成されている。針カニューレの近位部分を切断して、それぞれ７６度、８０度、８５度の針カニューレの中心軸に対する角度（α）を有する傾斜面を提供することによって、多くのサンプル針カニューレが調製されてきた。切断に続いて、平面状の角度を付けられた切断先端の端面は、針カニューレの平面の端面に対して９０度の角度で加えられるガラスブラストの形態の仕上げプロセスに加えられている。すべての試験は、摂氏５度の周囲温度かつ、室温（摂氏２０度）であり、図１〜４に示されるように自動インジェクタをトリガすることによって得られる速度に対応する貫通速度で実施されている。針カバーおよびカートリッジ隔壁の破壊の痕跡は観察されていない。
【００５８】
図６は、８０度の切断傾斜端を有する針カニューレ１３０の近位部分の拡大側面図を示す。単一の切断され、角度付けられた端面１３４は、針カニューレの最近位点を画定する先導部分１３４．１を示す。表面１３４はさらに、後続部分１３４．２、すなわちかかと部分を示す。
【００５９】
図７は、８０度の切断された傾斜を備え、近位針カバー１０ａの一部も見える、針カニューレ１３０の近位部分の断面側面図を示す。
【００６０】
本発明による針カニューレは、針カニューレのわずかに角度付けられた傾斜面が、先導部分１３４．１が針カニューレに形のはっきりした接触点針を設けて、それぞれ針カバーとカートリッジ隔壁との接触を確立できることを実証している。わずかに角度付けられた研削加工面は、形のはっきりした先端を確立することによりカバーが必ず破る場所を針が確実に示すことと、針カニューレの近位端のかかと部分の近くの場所に鋭利なナイフ様構造を導入しないこととの間の適切なバランスであることを証明する。ノンコアリングニードルカニューレを形成する目的では、研削は、７０〜８５度の範囲内の中心軸に対して角度を示す針カニューレの近位端に有効と考えられる。
【００６１】
本発明によると、近位開口部を囲む近位端表面の一区分を覆うのみにわずかに角度付けられた表面が提供されうることに留意されたい。しかし、近位表面の主要部分、特にかかと部分を覆う表面積は、７０〜８５度の角度間隔内で針カニューレの中心軸に対する傾き角度で形成されることが意図されている。
【００６２】
任意のその後の仕上げ（ガラスブラスト、研磨など）は、特に針チューブの「かかと」において、鋭利な縁、構造またはフランジが、潜在的に、カバーまたはシール要素と協働してコリングを引き起こさないことを確実にするためである。
【００６３】
図８ａ〜８ｃは、本発明によるさらなる例示的な針カニューレを提供するための製造工程を概略的に示す。こうした針カニューレ１３０の近位部分は、単純な３ステッププロセスで製造される。図示の実施形態では、図８ａに示すように、斜めカットは、中心軸に対して７０度の研磨角度で針カニューレを研磨することによって針カニューレの近位端１３３ａにまずなされる。これにより、近位に面した角度付けられた面１３４ａが形成され、それが先導部分１３４．１およびかかと部分１３４．２を画定する。図８ｂに示す第二の手順ステップでは、針カニューレの近位端は、最初に形成された鋭い縁が鈍くなるように、サンドブラスト動作、または類似の鈍化動作を加えられる。したがって、角度付けられた面１３４ａがカニューレ１３０の側壁と交差する領域１３４ｂでは、領域１３４ｂは、半径方向内側に面する縁部および半径方向外側に面する縁部において、両方とも鈍い円周方向に走る縁を形成する。図８ｃに示す第三の手順ステップでは、第二の研磨工程は、中央軸に対して８０度の研磨角度を有する針カニューレの先導部分１３４．１に配置された研磨領域のみによって実施され、それによって先導部分１３４．１の周りに対称的に配置された平面部分１３４ｃが形成される。ここでは、先導部分１３４．１にのみ配置された縁が、鋭くされる。
【００６４】
図示の実施形態では、図９を参照してさらに説明すると、第一の研磨動作は中心軸に対して研磨角α１によって実現されうるが、第二の研磨動作は、中心軸に対して研磨角α２によって実現されうる。さらなる例示的な実施形態では、第一の研磨動作の研磨角度は、中心軸に対して５０〜７５度の間隔内の角度α１を形成するかかと部分１３４．２に表面部分１３４ａを設けるように実施されうる。一般に、こうした実施形態では、第二の研磨動作の研磨角は、表面部分１３４ａの角度α１より５〜１０度大きい、中心軸に対する角度α２を形成する先導部分１３４．１に表面部分１３４ｃを設けるように実施されうる。
【００６５】
上述の簡単な３ステップの動作を使用することにより、針カニューレ１３０の近位端１３３ａが鋭利な先導部分ならびに鈍いかかと部分を持つ近位に面した端面を示す、安価で効果的なノンコアリング溶液が提供される。
【００６６】
皮膚貫通先端を担持する針カニューレの遠位部分１３３ｂは非常に脆弱なので、この端部は製造／組立時に保護され、針の位置付けには使用されないことが重要なことに留意されたい。従って、針１３３ａの近位部分がこの目的を果たしうる場合、好ましい。従って、針の近位部分の設計には、針カニューレが針ハブ要素に対して取着されるまで、近位部分を支持表面と係合させることによって針の位置決めを可能にする堅牢な設計が提供されている。
【００６７】
さらに、一部の好ましい実施形態が前述に示されているが、本発明はこれらに限定されることなく、以下の特許請求の範囲内および残りの開示内に定義された主題内での他の方法で具体化されてもよいことを強調する。
【図１】
2020503133.tif 000003
【図２】
2020503133.tif 000004
【図３】
2020503133.tif 000005
【図４】
2020503133.tif 000006
【図５】
2020503133.tif 000007
【図６】
2020503133.tif 000008
【図７】
2020503133.tif 000009
【図８ａ】
2020503133.tif 000010
【図８ｂ】
2020503133.tif 000011
【図８ｃ】
2020503133.tif 000012
【図９】
2020503133.tif 000013
【国際調査報告】
2020503133.tif 000014
2020503133.tif 000015